(57)【要約】【課題】ユーザに付着する塵埃の量をより低減することが可能なエアシャワー装置を提供すること。【解決手段】このエアシャワー装置は、吸込口３１ｂから吸い込んだ空気を吹出口３１ｃから吹き出す第１の送風機３１を備える。装置には、エアシャワー室ＳＲが形成されている。装置は、第１の送風機３１から吹き出された空気をエアシャワー室ＳＲへ噴射するように構成される。更に、装置は吸引口部６１を備える。吸引口部６１は、エアシャワー室ＳＲを形成する内壁面１０ａから突出するように形成されている。吸引口部６１は、突出方向側の端部である突出端部にてエアシャワー室ＳＲに開口する吸引口ＨＬ２が形成されている。装置は、吸引口ＨＬ２からエアシャワー室ＳＲ内の空気を吸引する。【選択図】図２
2009281624.tif 000002
【特許請求の範囲】
【請求項１】
吸込口から吸い込んだ空気を吹出口から吹き出す第１の送風機を備えるとともに、エアシャワー室が形成され、且つ、当該第１の送風機から吹き出された空気を当該エアシャワー室へ噴射するように構成されたエアシャワー装置であって、
前記エアシャワー室を形成する内壁面から突出するように形成され、且つ、その突出方向側の端部である突出端部にて当該エアシャワー室に開口する吸引口が形成された吸引口部と、
前記吸引口から前記エアシャワー室内の空気を吸引する吸引手段と、
を備えるエアシャワー装置。
【請求項２】
請求項１に記載のエアシャワー装置であって、
前記吸引手段は、前記吸引口と、前記第１の送風機の前記吸込口と、を連通する第１の連通路を含むとともに、当該第１の送風機が当該吸込口から空気を吸い込むことにより、当該第１の連通路を介して当該吸引口から前記エアシャワー室内の空気を吸引するように構成されたエアシャワー装置。
【請求項３】
請求項１又は請求項２に記載のエアシャワー装置であって、
前記吸引口部は、前記吸引口が鉛直方向に沿って延びるように形成されたエアシャワー装置。
【請求項４】
請求項１乃至請求項３のいずれか一項に記載のエアシャワー装置であって、
前記吸引口部は、前記吸引口が一定のスリット幅を有するように構成されたエアシャワー装置。
【請求項５】
請求項４に記載のエアシャワー装置であって、
前記吸引口部は、前記スリット幅を変更可能に構成されたエアシャワー装置。
【請求項６】
請求項１乃至請求項５のいずれか一項に記載のエアシャワー装置であって、
前記吸引口部は、前記エアシャワー室の床面から前記吸引口の鉛直上向き方向側の端部までの鉛直方向における距離が、８００ｍｍから１８００ｍｍまでの範囲内の距離となるように構成されたエアシャワー装置。
【請求項７】
請求項１乃至請求項６のいずれか一項に記載のエアシャワー装置であって、
前記吸引口部は、前記突出端部が着脱可能に構成されたエアシャワー装置。
【請求項８】
請求項１乃至請求項７のいずれか一項に記載のエアシャワー装置であって、
前記突出端部のうちの前記突出方向側の端は、ゴムからなるエアシャワー装置。
【請求項９】
請求項１乃至請求項７のいずれか一項に記載のエアシャワー装置であって、
前記突出端部のうちの前記突出方向側の端は、制電樹脂からなるエアシャワー装置。
【請求項１０】
請求項１乃至請求項７のいずれか一項に記載のエアシャワー装置であって、
前記突出端部のうちの前記突出方向側の端には、ブラシが装着されたエアシャワー装置。
【請求項１１】
請求項１乃至請求項１０のいずれか一項に記載のエアシャワー装置であって、
通過する空気に含まれる塵埃を捕集し、且つ、前記吸引口から吸引された空気が通過するように配設されたフィルタを備えるエアシャワー装置。
【請求項１２】
請求項１１に記載のエアシャワー装置であって、
前記フィルタが着脱可能に構成されたエアシャワー装置。
【請求項１３】
請求項１乃至請求項１２のいずれか一項に記載のエアシャワー装置であって、
前記エアシャワー室を形成する内壁面にて開口する吸込孔が形成されるとともに、
吸込口から吸い込んだ空気を吹出口から吹き出す第２の送風機を備え、
前記第２の送風機が当該第２の送風機の吸込口から空気を吸い込むことにより、前記吸込孔から前記エアシャワー室内の空気を吸い込むとともに、当該第２の送風機から吹き出された空気を当該エアシャワー室へ噴射するように構成され、且つ、前記第１の送風機の吸込口と前記吸込孔とが連通しないように構成されたエアシャワー装置。
【請求項１４】
請求項１乃至請求項１３のいずれか一項に記載のエアシャワー装置であって、
前記エアシャワー室と外部とを連通する２つの出入口が形成されるとともに、
前記吸引口部が前記２つの出入口の一方側に配置されるとともに、前記空気を噴射する噴射口が当該２つの出入口の他方側に形成されたエアシャワー装置。
【請求項１５】
請求項１乃至請求項１４のいずれか一項に記載のエアシャワー装置であって、
ユーザが前記エアシャワー室へ入室してから予め設定された時間が経過した後に、当該ユーザに前記吸引口へ近づくように促す案内情報を出力する案内情報出力手段を備えるエアシャワー装置。
【請求項１６】
請求項１乃至請求項１５のいずれか一項に記載のエアシャワー装置であって、
前記吸引口部は、前記エアシャワー室を形成する内壁面と異なる色に着色されたエアシャワー装置。
【発明の詳細な説明】
【技術分野】
【０００１】
本発明は、エアシャワー室が形成され、当該エアシャワー室へ空気を噴射するエアシャワー装置に関する。
【背景技術】
【０００２】
エアシャワー室が形成され、当該エアシャワー室へ空気を噴射するエアシャワー装置が知られている（例えば、特許文献１を参照）。このエアシャワー装置は、エアシャワー室へ噴射される空気によって、エアシャワー室内のユーザ（ユーザの皮膚、毛髪及び衣服等）に付着した塵埃（微粒子（パーティクル）、塵、埃、糸くず及び髪の毛等）を吹き飛ばす。これにより、ユーザに付着した塵埃を除去することができる。
【特許文献１】特許第３３０１１４３号公報
【発明の開示】
【発明が解決しようとする課題】
【０００３】
しかしながら、上記エアシャワー装置によれば、例えば、ユーザの衣服の繊維の隙間又は毛髪の隙間に入り込んだ糸くず及び髪の毛等が吹き飛ばされない場合が生じるという問題があった。
【０００４】
このため、本発明の目的は、上述した課題である「ユーザに付着した塵埃の一部を除去できない場合が生じること」を解決することが可能なエアシャワー装置を提供することにある。
【課題を解決するための手段】
【０００５】
かかる目的を達成するため本発明の一形態であるエアシャワー装置は、
吸込口から吸い込んだ空気を吹出口から吹き出す第１の送風機を備えるとともに、エアシャワー室が形成され、且つ、当該第１の送風機から吹き出された空気を当該エアシャワー室へ噴射するように構成された装置である。
【０００６】
更に、このエアシャワー装置は、
上記エアシャワー室を形成する内壁面から突出するように形成され、且つ、その突出方向側の端部である突出端部にて当該エアシャワー室に開口する吸引口が形成された吸引口部と、
上記吸引口から上記エアシャワー室内の空気を吸引する吸引手段と、
を備える。
【発明の効果】
【０００７】
本発明は、以上のように構成されることにより、ユーザに付着する塵埃の量をより低減することができる。
【発明を実施するための最良の形態】
【０００８】
本発明の一形態であるエアシャワー装置は、
吸込口から吸い込んだ空気を吹出口から吹き出す第１の送風機を備えるとともに、エアシャワー室が形成され、且つ、当該第１の送風機から吹き出された空気を当該エアシャワー室へ噴射するように構成された装置である。
【０００９】
更に、このエアシャワー装置は、
上記エアシャワー室を形成する内壁面から突出するように形成され、且つ、その突出方向側の端部である突出端部にて当該エアシャワー室に開口する吸引口が形成された吸引口部と、
上記吸引口から上記エアシャワー室内の空気を吸引する吸引手段と、
を備える。
【００１０】
これによれば、ユーザが皮膚、毛髪及び衣服等を吸引口に近づける（又は、接触させる）ことにより、エアシャワー装置は、ユーザ（ユーザの皮膚、毛髪及び衣服等）に付着した塵埃（微粒子（パーティクル）、塵、埃、糸くず及び髪の毛等）を吸引する。これにより、ユーザに付着した塵埃を除去することができる。従って、上記エアシャワー装置によれば、エアシャワー室へ噴射される空気によって吹き飛ばすことができない塵埃も除去することができる。
【００１１】
また、上記エアシャワー装置によれば、吸引口は、エアシャワー室を形成する内壁面から突出した位置にて開口している。従って、吸引口が内壁面と同一の平面にて開口している場合よりも、ユーザは、容易に（即ち、内壁面と接触することなく）皮膚、毛髪及び衣服等を吸引口に近づけることができる。この結果、ユーザに付着した塵埃をより一層確実に除去することができる。
【００１２】
また、上記エアシャワー装置によれば、ユーザは、背部を吸引口に容易に近づけることができるので、背部に付着した塵埃も容易に除去することができる。
【００１３】
この場合、
上記吸引手段は、上記吸引口と、上記第１の送風機の上記吸込口と、を連通する第１の連通路を含むとともに、当該第１の送風機が当該吸込口から空気を吸い込むことにより、当該第１の連通路を介して当該吸引口から上記エアシャワー室内の空気を吸引するように構成されることが好適である。
【００１４】
これによれば、吸引口からエアシャワー室内の空気を吸引するための吸引装置を第１の送風機の他に設ける必要がない。従って、吸引装置を第１の送風機の他に設けた場合と比較して、エアシャワー装置を小型化及び／又は軽量化することができる。また、吸引装置を第１の送風機の他に設けた場合と比較して、エアシャワー装置を駆動するために消費されるエネルギー量（例えば、電力量）を低減することができる。
【００１５】
この場合、上記吸引口部は、上記吸引口が鉛直方向に沿って延びるように形成されることが好適である。
【００１６】
これによれば、ユーザの全身を広い範囲に亘って同時に吸引することができる。従って、ユーザは、より短い時間にて塵埃の吸引を完了することができる。
【００１７】
この場合、上記吸引口部は、上記吸引口が一定のスリット幅を有するように構成されることが好適である。
更に、この場合、上記吸引口部は、上記スリット幅を変更可能に構成されることが好適である。
【００１８】
スリット幅と吸引力とは強い相関関係を有する。そこで、上記構成のように、スリット幅を変更可能とすることにより、吸引力を容易に調整することができる。
【００１９】
この場合、
上記吸引口部は、上記エアシャワー室の床面から上記吸引口の鉛直上向き方向側の端部までの鉛直方向における距離が、８００ｍｍから１８００ｍｍまでの範囲内の距離となるように構成されることが好適である。
【００２０】
この場合、上記吸引口部は、上記突出端部が着脱可能に構成されることが好適である。
【００２１】
吸引口部の突出端部は、ユーザと接触する。ところで、ユーザの衣服の素材等に応じて、突出端部として最適な材料が異なる。そこで、上記構成のように、突出端部を着脱可能とすることにより、ユーザの衣服の素材等に応じて突出端部を容易に変更（交換）することができる。
【００２２】
この場合、上記突出端部のうちの上記突出方向側の端は、ゴムからなることが好適である。
【００２３】
これによれば、突出端部のうちの突出方向側の端（突出端）とユーザとが接触した場合に、ユーザの皮膚又は衣服が突出端に引っかかることによって、ユーザの皮膚又は衣服が損傷する（傷が付く）ことを防止することができる。
【００２４】
また、本発明の他の態様に係るエアシャワー装置において、上記突出端部のうちの上記突出方向側の端は、制電樹脂からなることが好適である。
【００２５】
これによれば、突出端部のうちの突出方向側の端（突出端）とユーザとが接触した場合に、突出端、若しくは、ユーザの皮膚又は衣服に過大な静電気が発生することを防止することができる。この結果、突出端、若しくは、ユーザの皮膚又は衣服に、静電気によって塵埃が付着することを抑制することができる。
【００２６】
また、本発明の他の態様に係るエアシャワー装置において、上記突出端部のうちの上記突出方向側の端には、ブラシが装着されることが好適である。
【００２７】
これによれば、ユーザの衣服の繊維の隙間又は毛髪の隙間に入り込んだ塵埃をブラシにより掻き出すことができる。この結果、ユーザに付着した塵埃をより一層確実に除去することができる。
【００２８】
この場合、上記エアシャワー装置は、
通過する空気に含まれる塵埃を捕集し、且つ、上記吸引口から吸引された空気が通過するように配設されたフィルタを備えることが好適である。
【００２９】
これによれば、吸引口から吸引された空気に含まれる塵埃をフィルタにより捕集することができる。この結果、塵埃が第１の送風機へ吸い込まれること、及び／又は、塵埃が外部へ放出されること、を防止することができる。
【００３０】
この場合、上記エアシャワー装置は、上記フィルタが着脱可能に構成されることが好適である。
これによれば、フィルタを容易に交換することができる。
【００３１】
この場合、上記エアシャワー装置は、
上記エアシャワー室を形成する内壁面にて開口する吸込孔が形成されるとともに、
吸込口から吸い込んだ空気を吹出口から吹き出す第２の送風機を備え、
上記第２の送風機が当該第２の送風機の吸込口から空気を吸い込むことにより、上記吸込孔から上記エアシャワー室内の空気を吸い込むとともに、当該第２の送風機から吹き出された空気を当該エアシャワー室へ噴射するように構成され、且つ、上記第１の送風機の吸込口と上記吸込孔とが連通しない（上記吸込孔から吸い込まれた空気が上記第１の送風機の吸込口に到達しない）ように構成されることが好適である。
【００３２】
仮に、第１の送風機の吸込口と吸込孔とが連通していると、ユーザが吸引口に皮膚及び／又は衣服を近づけることにより吸引口が塞がれた場合、第１の送風機が吸込口から空気を吸い込んでも、吸引口から吸引される空気の量が減少し、一方、吸込孔から吸い込まれる空気の量が増加する。即ち、吸引口から空気を吸引する力（吸引力）が低下する。
【００３３】
これに対し、上記構成によれば、吸引口が塞がれた場合であっても、第１の送風機が吸込口から空気を吸い込むことにより吸引口から吸引される空気の量が減少することを抑制することができる。この結果、吸引力が低下することを抑制することができる。
【００３４】
この場合、上記エアシャワー装置は、
上記エアシャワー室と外部とを連通する２つの出入口が形成されるとともに、
上記吸引口部が上記２つの出入口の一方側に配置されるとともに、上記空気を噴射する噴射口が当該２つの出入口の他方側に形成されることが好適である。
【００３５】
これによれば、２つの出入口の一方側にてエアシャワー室から吸引された空気が他方側にてエアシャワー室へ噴射される。これにより、空気を円滑に流すことができる。従って、エアシャワー装置（例えば、送風機）を駆動するために消費されるエネルギー量を低減することができる。また、空気の流れを制御するための部材（例えば、流れの向きを変更するための板や配管等）の数を少なくすることができる。
【００３６】
この場合、上記エアシャワー装置は、
ユーザが上記エアシャワー室へ入室してから予め設定された時間が経過した後に、当該ユーザに上記吸引口へ近づくように促す案内情報を出力する案内情報出力手段を備えることが好適である。
【００３７】
これによれば、ユーザに塵埃の吸引を確実に行わせることができる。この結果、ユーザに付着した塵埃をより一層確実に除去することができる。
【００３８】
この場合、上記吸引口部は、上記エアシャワー室を形成する内壁面と異なる色に着色されることが好適である。
【００３９】
これによれば、ユーザに吸引口の存在を認識させやすくすることができる。この結果、ユーザに塵埃の吸引を確実に行わせることができる。
【００４０】
以下、本発明に係るエアシャワー装置の実施形態について図１〜図９を参照しながら説明する。
【００４１】
＜実施形態＞
実施形態に係るエアシャワー装置１は、斜視図である図１に示したように、直方体状の本体部１０と、入口用ドア１１と、出口用ドア１２と、を含む。以下、Ｘ軸、Ｙ軸及びＺ軸からなる右手系の直交座標系を用いて説明を続ける。なお、Ｚ軸方向は鉛直方向（重力が働く向きに沿った方向）である。
【００４２】
本体部１０の内部には、直方体状の空間であるエアシャワー室ＳＲが形成されている。本体部１０のＹ軸方向における両端部のそれぞれには、エアシャワー室ＳＲとエアシャワー装置１の外部とを連通する長方形状の貫通穴（出入口）が形成されている。
【００４３】
入口用ドア１１及び出口用ドア１２のそれぞれは、出入口と同一の形状を有する平板状の部材である。入口用ドア１１及び出口用ドア１２のそれぞれは、出入口のそれぞれを開閉可能に構成されている。即ち、入口用ドア１１及び出口用ドア１２の両方が閉じられた状態において、エアシャワー室ＳＲは密閉された空間を構成する。
【００４４】
図２の（Ａ）は、エアシャワー装置１を外部からＹ軸正方向に向かって見た正面図である。図２の（Ｂ）は、図２の（Ａ）における２Ｂ−２Ｂ線を含み且つＸ軸に直交する平面によりエアシャワー装置１を切断した断面図である。図２の（Ｃ）は、図２の（Ｂ）における２Ｃ−２Ｃ線を含み且つＹ軸に直交する平面によりエアシャワー装置１を切断した断面図である。図３は、図２の（Ａ）における３−３線を含み且つＺ軸に直交する平面によりエアシャワー装置１を切断した断面図である。
【００４５】
エアシャワー室ＳＲを形成する内壁面のうちのＸ軸負方向側の内壁面１０ａには、複数（本例では、６個）のパンカールーバ２１ａと、吸引口部６１と、が形成されている。本例では、内壁面１０ａは、乳白色に着色されている。
【００４６】
パンカールーバ２１ａは、エアシャワー室ＳＲへ向けて開口した噴射口を有し且つ噴射方向を変更可能なノズルである。パンカールーバ２１ａは、図３に示したように、本体部１０の外壁面のうちのＸ軸負方向側の外壁面１０ｅと内壁面１０ａとの間に形成された空間ＳＰ１内の空気を噴射口からエアシャワー室ＳＲへ噴射するように形成されている。
【００４７】
パンカールーバ２１ａは、図２の（Ｂ）に示したように、内壁面１０ａのうちのＹ軸負方向側（即ち、入口用ドア１１側）の領域に配置されている。パンカールーバ２１ａは、Ｚ軸方向に等間隔に３個並べられた１組の列をＹ軸方向に２列有する格子状に配置されている。
【００４８】
更に、空間ＳＰ１には、第１の送風機３１と、メインフィルタ２２ａと、が配設されている。なお、第１の送風機３１は、吸引手段の一部を構成している。
【００４９】
第１の送風機３１は、図２の（Ａ）に示したように、電力により駆動される羽根車３１ａと、吸込口３１ｂと、吹出口３１ｃと、を有する。第１の送風機３１は、羽根車３１ａが駆動されることにより、吸込口３１ｂから空気を吸い込むとともに、吸い込んだ空気を圧縮し圧縮した空気を吹出口３１ｃから吹き出す。
【００５０】
メインフィルタ２２ａは、通過する空気に含まれる塵埃（微粒子（パーティクル）、塵、埃、糸くず及び髪の毛等）を捕集するフィルタである。メインフィルタ２２ａは、吹出口３１ｃから吹き出された空気が通過するように配設されている。このような構成により、第１の送風機３１の吹出口３１ｃから吹き出された空気は、メインフィルタ２２ａを通過した後に、パンカールーバ２１ａを介してエアシャワー室ＳＲへ噴射される。
【００５１】
吸引口部６１は、図２の（Ｂ）及び図３に示したように、内壁面１０ａから突出するように形成されている。吸引口部６１のＸ軸正方向（突出方向）側の端は、内壁面１０ａからＸ軸正方向へ向かって１５０ｍｍだけ突出した位置に位置している。なお、内壁面１０ａから吸引口部６１のＸ軸正方向側の端までのＸ軸方向における距離は、５０ｍｍから１０００ｍｍまでの範囲内の任意の距離に設定されていてもよいし、１００ｍｍから３００ｍｍまでの範囲内の任意の距離に設定されていてもよい。
【００５２】
吸引口部６１は、Ｚ軸方向に沿って延びている。吸引口部６１のＺ軸正方向側の端は、エアシャワー室ＳＲの床面（エアシャワー室ＳＲを形成する内壁面のうちのＺ軸負方向側の内壁面）１０ｃから１２００ｍｍの高さに位置している。また、吸引口部６１のＺ軸負方向側の端は、エアシャワー室ＳＲの床面１０ｃから５０ｍｍの高さに位置している。
【００５３】
更に、Ｚ軸に直交する平面により吸引口部６１を切断した断面の形状は、略一定である。その断面の形状は、Ｘ軸正方向へ向かうにつれて、Ｙ軸方向における幅が狭くなる形状（本例では、台形状）である。
【００５４】
図３の断面図の吸引口部６１の近傍を拡大した図４に示したように、吸引口部６１は、基部６１ａと、突出端部６１ｂと、を含む。基部６１ａは、内壁面１０ａと異なる色（本例では、黄色）に着色されている。これによれば、ユーザに吸引口部６１の存在を認識させやすくすることができる。この結果、ユーザに塵埃の吸引を確実に行わせることができる。
【００５５】
基部６１ａには、基部６１ａのＸ軸正方向側の外壁面にて開口した貫通穴ＨＬ１が形成されている。この貫通穴ＨＬ１は、吸引口部６１のＺ軸方向における長さと略同じ長さを有し且つＺ軸方向に沿って延びる長辺を有する長方形状である。即ち、この貫通穴ＨＬ１は、一定のスリット幅を有し、Ｚ軸方向に沿って延びている。
【００５６】
突出端部６１ｂは、吸引口部６１のＸ軸正方向（突出方向）側の端部を構成している。突出端部６１ｂのＺ軸方向における長さは、貫通穴ＨＬ１のＺ軸方向における長さと略同じである。突出端部６１ｂは、２つの基体部６１ｂ１と、２つのキャップ部６１ｂ２と、を含む。
【００５７】
各基体部６１ｂ１は、貫通穴ＨＬ１に沿うように、貫通穴ＨＬ１のＹ軸方向における両端部に配置されている。各基体部６１ｂ１は、基部６１ａのＸ軸正方向側の外壁面にネジＳＣ１によって固定された第１の平板部と、第１の平板部の貫通穴ＨＬ１側の端部からＸ軸正方向へ延びる第２の平板部と、を含む。各基体部６１ｂ１は、ネジＳＣ１を取り外すことにより、基部６１ａに対して着脱可能に構成されている。即ち、突出端部６１ｂは、基部６１ａに対して着脱可能に構成されている。これによれば、ユーザの衣服の素材等に応じて突出端部６１ｂを容易に変更（交換）することができる。
【００５８】
キャップ部６１ｂ２はゴムからなる。キャップ部６１ｂ２は、基体部６１ｂ１に１つずつ固定されている。キャップ部６１ｂ２は、第２の平板部のＸ軸正方向側の端部を覆うように形成されている。即ち、キャップ部６１ｂ２は、突出端部６１ｂのうちの突出方向側の端を含む。
【００５９】
２つのキャップ部６１ｂ２の間に形成された空間ＨＬ２は、本明細書において、吸引口とも呼ばれる。吸引口ＨＬ２は、正面視において、吸引口部６１のＺ軸方向における長さと略同じ長さを有し且つＺ軸方向に沿って延びる長辺を有する長方形状である。即ち、吸引口ＨＬ２は、Ｚ軸方向（鉛直方向）に沿って延びるように形成されているとともに、一定のスリット幅ＳＷを有するように構成されている。
【００６０】
このように、吸引口部６１には、Ｘ軸正方向（突出方向）側の端部である突出端部６１ｂにてエアシャワー室ＳＲに開口する吸引口ＨＬ２が形成されている、と言うことができる。
【００６１】
更に、基体部６１ｂ１は、Ｙ軸方向における位置を変化させて基部６１ａに固定可能に構成されている。即ち、吸引口部６１は、スリット幅ＳＷを変更可能に構成されている、と言うことができる。この結果、吸引口ＨＬ２からエアシャワー室ＳＲ内の空気を吸引する力（吸引力）を容易に調整することができる。
【００６２】
このように、吸引口部６１は、エアシャワー室ＳＲの床面１０ｃから吸引口ＨＬ２のＺ軸正方向（鉛直上向き方向）側の端部までのＺ軸方向（鉛直方向）における距離が１２００ｍｍとなるように構成されている。この距離は、エアシャワー装置１を利用するユーザの肩までの高さの平均値に基づいて設定される。なお、この距離は、エアシャワー装置１を利用するユーザの身長（肩までの高さ）に応じて、８００ｍｍから１８００ｍｍまでの範囲内の任意の距離に設定されていてもよいし、１０００ｍｍから１６００ｍｍまでの範囲内の任意の距離に設定されていてもよい。
【００６３】
また、吸引口部６１は、エアシャワー室ＳＲの床面１０ｃから吸引口ＨＬ２のＺ軸負方向（鉛直下向き方向）側の端部までのＺ軸方向（鉛直方向）における距離が５０ｍｍとなるように構成されている。この距離は、エアシャワー装置１を利用するユーザの踝までの高さの平均値に基づいて設定される。なお、この距離は、０ｍｍから８００ｍｍまでの範囲内の任意の距離に設定されていてもよいし、５０ｍｍから３００ｍｍまでの範囲内の任意の距離に設定されていてもよい。
【００６４】
更に、吸引口部６１のうちのＸ軸負方向側の端部には、プレフィルタ６２が配設されている。プレフィルタ６２は、ネジＳＣ２により吸引口部６１に固定されている。即ち、プレフィルタ６２は、吸引口部６１に対して着脱可能に固定されている、と言うことができる。これによれば、プレフィルタ６２を容易に交換することができる。
【００６５】
プレフィルタ６２は、通過する空気に含まれる塵埃を捕集するフィルタである。プレフィルタ６２は、吸引口ＨＬ２から吸引された空気が通過するように配設されている。このような構成により、吸引口ＨＬ２から吸引された空気は、プレフィルタ６２を通過した後に、空間ＳＰ１へ流入する。そして、空間ＳＰ１に流入した空気は、第１の送風機３１の吸込口３１ｂから第１の送風機３１に吸い込まれる。これによれば、吸引口ＨＬ２から吸引された空気に含まれる塵埃をプレフィルタ６２により捕集することができる。この結果、塵埃が第１の送風機３１機へ吸い込まれること、及び／又は、塵埃が外部へ放出されること、を防止することができる。
【００６６】
なお、空間ＳＰ１は、吸引口ＨＬ２と第１の送風機３１の吸込口３１ｂとを連通する第１の連通路を構成している。第１の連通路は、吸引手段の一部を構成している。従って、エアシャワー装置１においては、第１の送風機３１が吸込口３１ｂから空気を吸い込むことにより、第１の連通路を介して吸引口ＨＬ２からエアシャワー室ＳＲ内の空気が吸引される。
【００６７】
更に、吸引口部６１は、内壁面１０ａと同一の平面を構成する平板部６１ｃを含む。平板部６１ｃは、基部６１ａと一体に形成されている。平板部６１ｃは、基部６１ａから、Ｙ軸方向における外方側へ延びている。即ち、平板部６１ｃは、基部６１ａのＹ軸負方向側の端部からＹ軸負方向側へ延びるとともに、基部６１ａのＹ軸正方向側の端部からＹ軸正方向側へ延びている。
【００６８】
更に、平板部６１ｃは、Ｙ軸正方向側の端部が蝶番６１ｄを介して内壁面１０ａに固定されている。蝶番６１ｄは、Ｚ軸に沿った回転軸回りに相対回転可能な第１の平板部及び第２の平板部を有する。即ち、平板部６１ｃのＹ軸正方向側の端部は、ネジＳＣ３によって蝶番６１ｄの第１の平板部に固定されている。蝶番６１ｄの第２の平板部は、ネジＳＣ４によって内壁面１０ａに固定されている。更に、平板部６１ｃは、Ｙ軸負方向側の端部がネジＳＣ５によって内壁面１０ａに固定されている。
【００６９】
このような構成により、ネジＳＣ５を取り外すことにより、図５に示したように、吸引口部６１を蝶番６１ｄの回転軸回りに回動させることができる。これにより、プレフィルタ６２を容易に交換することができる。
【００７０】
更に、空間ＳＰ１には、図２の（Ｂ）及び図３に示したように、仕切板７１が形成されている。仕切板７１は、Ｙ軸方向において、パンカールーバ２１ａと吸引口部６１との間の位置に配置されている。
【００７１】
仕切板７１は、空間ＳＰ１のＺ軸正方向側の端から、第１の送風機３１の吸込口３１ｂのＺ軸方向における位置の近傍まで延びている。仕切板７１は、空間ＳＰ１のうちのＹ軸正方向側の部分と、空間ＳＰ１のうちのＹ軸負方向側の部分と、を区画する。これにより、空間ＳＰ１のうちの仕切板７１よりもＹ軸正方向側の部分内の空気は、仕切板７１よりもＺ軸負方向側の領域を通過して、空間ＳＰ１のうちの仕切板７１よりもＹ軸負方向側の部分へ流入する。従って、吸引口ＨＬ２から吸引された空気を、第１の送風機３１の吸込口３１ｂへ導入することができる。
【００７２】
同様に、図２の（Ａ）及び図３に示したように、エアシャワー室ＳＲを形成する内壁面のうちのＸ軸正方向側の内壁面１０ｂにも、複数（本例では、６個）のパンカールーバ２１ｂが形成されている。
【００７３】
パンカールーバ２１ｂは、パンカールーバ２１ａと同一の構成を有する。パンカールーバ２１ｂは、図３に示したように、本体部１０の外壁面のうちのＸ軸正方向側の外壁面１０ｆと内壁面１０ｂとの間に形成された空間ＳＰ２内の空気を噴射口からエアシャワー室ＳＲへ噴射するように形成されている。パンカールーバ２１ｂは、パンカールーバ２１ａと同様に、内壁面１０ｂに配置されている。即ち、パンカールーバ２１ｂは、パンカールーバ２１ａと互いに対向するように配置されている。
【００７４】
更に、空間ＳＰ２には、図２の（Ａ）及び図３に示したように、第２の送風機３２と、メインフィルタ２２ｂと、が配設されている。第２の送風機３２は、第１の送風機３１と同一の構成を有する。即ち、第２の送風機３２は、羽根車３２ａ、吸込口３２ｂ及び吹出口３２ｃを含む。また、メインフィルタ２２ｂは、メインフィルタ２２ａと同一の構成を有する。
【００７５】
加えて、本体部１０は、床板部４１と、プレフィルタ４２と、を備える。床板部４１は、格子状の部材（グレーチング）である。即ち、床板部４１には、Ｚ軸方向に貫通した複数の貫通孔（吸込孔）が形成されている。床板部４１は、エアシャワー室ＳＲの床面１０ｃを構成している。床板部４１は、Ｘ軸方向において、内壁面１０ａから内壁面１０ｂまで延びている。床板部４１は、Ｙ軸方向において、入口用ドア１１から出口用ドア１２まで延びている。
【００７６】
プレフィルタ４２は、通過する空気に含まれる塵埃を捕集するフィルタである。プレフィルタ４２は、床板部４１よりもＺ軸負方向側にて床板部４１に隣接するように配設されている。
【００７７】
また、図２の（Ｂ）に示したように、本体部１０の外壁面のうちのＺ軸負方向側の外壁面（即ち、本体部１０の底面）１０ｇとプレフィルタ４２との間に形成された空間ＳＰ３は、空間ＳＰ２と連通している。
このような構成により、床板部４１の貫通孔から吸い込まれた空気は、プレフィルタ４２を通過した後、空間ＳＰ３を経由して空間ＳＰ２へ流入する。
【００７８】
更に、エアシャワー室ＳＲの天井面（エアシャワー室ＳＲを形成する内壁面のうちのＺ軸正方向側の内壁面）１０ｄには、複数（本例では、４個）のパンカールーバ２１ｃが形成されている。
【００７９】
パンカールーバ２１ｃは、パンカールーバ２１ａと同一の構成を有する。パンカールーバ２１ｃは、図２に示したように、本体部１０の外壁面のうちのＺ軸正方向側の外壁面（即ち、本体部１０の頂面）１０ｈと天井面１０ｄとの間に形成された空間ＳＰ４内の空気を噴射口からエアシャワー室ＳＲへ噴射するように形成されている。パンカールーバ２１ｃは、図２の（Ｂ）に示したように、天井面１０ｄのうちのＹ軸負方向側（即ち、入口用ドア１１側）の領域に配置されている。パンカールーバ２１ｃは、Ｙ軸方向に等間隔に２個並べられた１組の列をＸ軸方向に２列有する格子状に配置されている。
【００８０】
更に、空間ＳＰ４と空間ＳＰ２とは連通している。このような構成により、第２の送風機３２の吹出口３２ｃから吹き出された空気が空間ＳＰ２及び空間ＳＰ４をこの順に通過した後、パンカールーバ２１ｃからエアシャワー室ＳＲへ噴射される。
【００８１】
加えて、本体部１０は、図２の（Ｂ）に示したように、スピーカＳＰＫを備える。スピーカＳＰＫは、図示しない音声制御装置と接続されている。音声制御装置は、ユーザＵＡがエアシャワー室ＳＲへ入室してから予め設定された時間が経過した後に、ユーザＵＡに吸引口ＨＬ２へ近づくように促すメッセージを表す音声信号をスピーカＳＰＫへ送る。スピーカＳＰＫは、音声制御装置から音声信号を受け取ると、その音声信号に基づいて音声（案内情報）を出力する。なお、スピーカＳＰＫ及び音声制御装置は、案内情報出力手段を構成している。
【００８２】
次に、上記のように構成されたエアシャワー装置１の作動について、エアシャワー装置１内の空気の流れを示した図６及び図７を参照しながら説明する。
【００８３】
このエアシャワー装置１は、入口用ドア１１及び出口用ドア１２の両方が閉じた状態になると、第１の送風機３１の羽根車３１ａ及び第２の送風機３２の羽根車３２ａの駆動を開始する。従って、ユーザＵＡが入口用ドア１１を開けてエアシャワー室ＳＲに入室した後、入口用ドア１１を閉じると、エアシャワー装置１は、羽根車３１ａ及び羽根車３２ａの駆動を開始する。ユーザＵＡは、パンカールーバ２１ａとパンカールーバ２１ｂとが対向する領域に立つ。
【００８４】
そして、羽根車３１ａが駆動されることにより、第１の送風機３１は、吸込口３１ｂから空間ＳＰ１内の空気を吸い込むとともに、吸い込んだ空気を圧縮し圧縮した空気を吹出口３１ｃからメインフィルタ２２ａへ向けて吹き出す（図６の（Ａ）の矢印ＡＲ１）。そして、第１の送風機３１の吹出口３１ｃから吹き出された空気は、メインフィルタ２２ａを通過した後に、パンカールーバ２１ａを介してＸ軸正方向に向けてエアシャワー室ＳＲへ噴射される（図７の矢印ＡＲ２）。
【００８５】
同様に、羽根車３２ａが駆動されることにより、第２の送風機３２は、吸込口３２ｂから空間ＳＰ２内の空気を吸い込むとともに、吸い込んだ空気を圧縮し圧縮した空気を吹出口３２ｃからメインフィルタ２２ｂへ向けて吹き出す（図６の（Ｂ）の矢印ＡＲ３）。そして、第２の送風機３２の吹出口３２ｃから吹き出された空気は、メインフィルタ２２ｂを通過した後に、パンカールーバ２１ｂを介してＸ軸負方向に向けてエアシャワー室ＳＲへ噴射される（図６の（Ｂ）及び図７の矢印ＡＲ４）。
【００８６】
加えて、メインフィルタ２２ｂを通過した空気は、空間ＳＰ４に流入する（図６の（Ｂ）の矢印ＡＲ５）。そして、空間ＳＰ４内の空気は、パンカールーバ２１ｃからＺ軸負方向に向けてエアシャワー室ＳＲへ噴射される（図６の（Ｂ）の矢印ＡＲ６）。
【００８７】
これにより、エアシャワー室ＳＲへ噴射された空気は、ユーザＵＡ（ユーザＵＡの皮膚、毛髪及び衣服等）に付着した塵埃を吹き飛ばす。この結果、ユーザＵＡに付着した塵埃を除去することができる。
【００８８】
更に、エアシャワー室ＳＲへ噴射された空気は、吸引口部６１の吸引口ＨＬ２から吸引される（図６の（Ａ）及び図７の矢印ＡＲ７）。吸引された空気は、プレフィルタ６２を通過した後、空間ＳＰ１へ流入する。そして、空間ＳＰ１に流入した空気は、第１の送風機３１の吸込口３１ｂから第１の送風機３１に吸い込まれる（図６の（Ａ）及び図７の矢印ＡＲ８）。
【００８９】
同様に、エアシャワー室ＳＲへ噴射された空気は、床板部４１の貫通孔から吸い込まれる（図６の（Ｂ）の矢印ＡＲ９）。吸い込まれた空気は、プレフィルタ４２を通過した後、空間ＳＰ３を経由して空間ＳＰ２へ流入する。そして、空間ＳＰ２に流入した空気は、第２の送風機３２の吸込口３２ｂから第２の送風機３２に吸い込まれる（図６の（Ｂ）の矢印ＡＲ１０）。
【００９０】
従って、噴射された空気によってユーザＵＡから吹き飛ばされた塵埃の少なくとも一部は、プレフィルタ６２及びプレフィルタ４２により捕集される。
【００９１】
その後、ユーザＵＡがエアシャワー室ＳＲへ入室してから予め設定された時間が経過すると、音声制御装置は、ユーザＵＡに吸引口ＨＬ２へ近づくように促すメッセージを表す音声信号をスピーカＳＰＫへ送る。これにより、スピーカＳＰＫは、その音声信号に基づいて音声を出力する。これによれば、ユーザＵＡに塵埃の吸引を確実に行わせることができる。
【００９２】
この音声を聞いたユーザＵＡは、吸引口ＨＬ２に近づく。そして、ユーザＵＡは、吸引口部６１のキャップ部６１ｂ２に皮膚及び衣服等を全面に亘って（例えば、ユーザＵＡがＺ軸を回転軸として回転することにより）接触させる。これにより、ユーザＵＡに付着した塵埃が吸引される。この結果、ユーザＵＡに付着した塵埃を除去することができる。従って、上記エアシャワー装置１によれば、エアシャワー室ＳＲへ噴射される空気によって吹き飛ばすことができない塵埃も除去することができる。
【００９３】
また、上記エアシャワー装置１によれば、吸引口ＨＬ２は、エアシャワー室ＳＲを形成する内壁面１０ａから突出した位置にて開口している。従って、吸引口ＨＬ２が内壁面１０ａと同一の平面にて開口している場合よりも、ユーザＵＡは、容易に（即ち、内壁面１０ａと接触することなく）皮膚、毛髪及び衣服等を吸引口に近づけることができる。この結果、ユーザＵＡに付着した塵埃をより一層確実に除去することができる。
【００９４】
また、上記エアシャワー装置１によれば、ユーザＵＡは、背部を吸引口ＨＬ２に容易に近づけることができるので、背部に付着した塵埃も容易に除去することができる。
【００９５】
更に、上記エアシャワー装置１においては、第１の送風機３１が吸込口３１ｂから空気を吸い込むことにより、第１の連通路を介して吸引口ＨＬ２からエアシャワー室ＳＲ内の空気が吸引される。
【００９６】
従って、吸引口ＨＬ２からエアシャワー室ＳＲ内の空気を吸引するための吸引装置を第１の送風機３１の他に設ける必要がない。従って、吸引装置を第１の送風機３１の他に設けた場合と比較して、エアシャワー装置１を小型化及び／又は軽量化することができる。また、吸引装置を第１の送風機３１の他に設けた場合と比較して、エアシャワー装置１を駆動するために消費されるエネルギー量（例えば、電力量）を低減することができる。
【００９７】
加えて、上記エアシャワー装置１においては、吸引口部６１は、吸引口ＨＬ２が鉛直方向に沿って延びるように形成されている。これによれば、ユーザＵＡの全身を広い範囲に亘って同時に吸引することができる。従って、ユーザＵＡは、より短い時間にて塵埃の吸引を完了することができる。
【００９８】
また、上記エアシャワー装置１においては、キャップ部６１ｂ２（即ち、突出端部６１ｂのうちの突出方向側の端）はゴムからなる。これによれば、突出端部６１ｂのうちの突出方向側の端（突出端）とユーザＵＡとが接触した場合に、ユーザの皮膚又は衣服が突出端に引っかかることによって、ユーザＵＡの皮膚又は衣服が損傷する（傷が付く）ことを防止することができる。
【００９９】
ところで、仮に、第１の送風機３１の吸込口３１ｂと床板部４１の吸込孔とが連通していると、ユーザＵＡが吸引口ＨＬ２に皮膚や衣服を近づけることにより吸引口ＨＬ２が塞がれた場合、第１の送風機３１が吸込口３１ｂから空気を吸い込んでも、吸引口ＨＬ２から吸引される空気の量が減少し、一方、吸込孔から吸い込まれる空気の量が増加する。即ち、吸引口ＨＬ２から空気を吸引する力（吸引力）が低下する。
【０１００】
これに対し、上記構成によれば、第１の送風機３１の吸込口３１ｂと床板部４１の吸込孔とは連通していない（即ち、吸込孔から吸い込まれた空気が吸込口３１ｂに到達しない）。従って、吸引口ＨＬ２が塞がれた場合であっても、第１の送風機３１が吸込口３１ｂから空気を吸い込むことにより吸引口ＨＬ２から吸引される空気の量が減少することを抑制することができる。この結果、吸引力が低下することを抑制することができる。
【０１０１】
また、上記エアシャワー装置１においては、吸引口部６１が２つの出入口の一方（出口用ドア１２）側に配置されるとともに、パンカールーバ２１ａ（空気を噴射する噴射口）が２つの出入口の他方（入口用ドア１１）側に形成されている。
【０１０２】
これによれば、出口用ドア１２側にてエアシャワー室ＳＲから吸引された空気が入口用ドア１１側にてエアシャワー室ＳＲへ噴射される。これにより、空気を円滑に流すことができる。従って、エアシャワー装置１（即ち、第１の送風機３１）を駆動するために消費されるエネルギー量を低減することができる。また、空気の流れを制御するための部材（例えば、流れの向きを変更するための板や配管等）の数を少なくすることができる。
【０１０３】
なお、図８に示したように、吸引口部６１は、化粧カバー６１ｅを備えていてもよい。化粧カバー６１ｅは、吸引口部６１の突出方向側の端面のうちの突出端部６１ｂ以外の部分を覆うように形成されている。化粧カバー６１ｅは、ネジＳＣ６により基部６１ａに固定されている。化粧カバー６１ｅは、基部６１ａと同様に、内壁面１０ａと異なる色に着色されている。
【０１０４】
また、図９に示したように、吸引口部６１は、突出端部６１ｂに代えて突出端部６１ｆを備えていてもよい。突出端部６１ｆは、摩擦等により発生する静電気の量を抑制可能な制電樹脂からなる。突出端部６１ｆは、突出端部６１ｂと同様の形状を有している。突出端部６１ｆは、ネジＳＣ７によって基部６１ａに固定されている。
【０１０５】
これによれば、突出端部６１ｆのうちの突出方向側の端（突出端）とユーザＵＡとが接触した場合に、突出端、若しくは、ユーザＵＡの皮膚又は衣服に過大な静電気が発生することを防止することができる。この結果、突出端、若しくは、ユーザＵＡの皮膚又は衣服に、静電気によって塵埃が付着することを抑制することができる。
【０１０６】
また、吸引口部６１は、ブラシを備えていてもよい。ブラシは、突出端部６１ｂのうちの突出方向側の端に装着される。これによれば、ユーザＵＡの衣服の繊維の隙間又は毛髪の隙間に入り込んだ塵埃をブラシにより掻き出すことができる。この結果、ユーザＵＡに付着した塵埃をより一層確実に除去することができる。
【０１０７】
なお、本発明は上記実施形態に限定されることはなく、本発明の範囲内において種々の変形例を採用することができる。例えば、上記実施形態においては、床板部４１は、Ｘ軸方向において、内壁面１０ａから内壁面１０ｂまで延びていたが、内壁面１０ａよりもＸ軸負方向側の位置から内壁面１０ｂよりもＸ軸正方向側の位置まで延びていてもよい。また、床板部４１は、Ｘ軸方向において、内壁面１０ａよりもＸ軸正方向側の位置から内壁面１０ｂよりもＸ軸負方向側の位置まで延びていてもよい。
【０１０８】
更に、上記実施形態においては、吸引口部６１は１つだけ設けられていたが、複数設けられていてもよい。
また、上記実施形態においては、床板部４１の吸込孔から吸い込まれた空気が第１の送風機３１の吸込口３１ｂに到達しないように構成されていたが、到達するように構成されていてもよい。
【０１０９】
この場合、上記実施形態は、更に、床板部４１の吸込孔から吸い込まれる空気の流量を制御するための流量制御部材を備えていてもよい。流量制御部材は、床板部４１の吸込孔から吸込口３１ｂまでの流路の実質的な断面積を変更する部材である。例えば、流量制御部材は、プレフィルタ４２よりもＺ軸負方向側に配置されるパンチングプレートである。パンチングプレートの開口面積は、床板部４１の開口面積よりも小さくされる。
【０１１０】
また、上記実施形態においては、案内情報出力手段は、スピーカＳＰＫから音声を出力するように構成されていたが、ディスプレイに案内情報を表示するように構成されていてもよい。
【０１１１】
更に、上記実施形態においては、入口用ドア１１側にパンカールーバ２１ａ〜２１ｃが配置されるとともに、出口用ドア１２側に吸引口部６１が配置されていたが、入口用ドア１１側に吸引口部６１が配置されるとともに、出口用ドア１２側にパンカールーバ２１ａ〜２１ｃが配置されていてもよい。
【０１１２】
また、上記実施形態は、第２の送風機３２を備えていなくてもよい。更に、上記実施形態は、パンカールーバ２１ｂを備えていなくてもよい。また、上記実施形態は、パンカールーバ２１ｃを備えていなくてもよい。また、上記実施形態は、音声制御装置及びスピーカＳＰＫを備えていなくてもよい。更に、上記実施形態は、吸引口ＨＬ２からエアシャワー室ＳＲ内の空気を吸引するための吸引装置を第１の送風機３１の他に備えていてもよい。
【０１１３】
また、上記実施形態においては、吸引口部６１の突出方向側の端面は、Ｘ軸に直交する平面を構成していたが、曲面を構成していてもよい。即ち、吸引口部６１は、内壁面１０ａから吸引口ＨＬ２までのＸ軸方向における距離が、Ｚ軸方向における位置に応じて変化するように形成されていてもよい。
【０１１４】
また、上記実施形態においては、エアシャワー装置１は、ユーザに付着している塵埃を除去するために用いられていたが、人間以外の生命体や物品等に付着している塵埃を除去するために用いられてもよい。
【産業上の利用可能性】
【０１１５】
本発明は、ユーザに向けて空気を噴射することにより、ユーザに付着している塵埃を除去するエアシャワー装置等に適用可能である。
【図面の簡単な説明】
【０１１６】
【図１】本発明の実施形態に係るエアシャワー装置の斜視図である。
【図２】図１に示したエアシャワー装置を水平方向から見た正面図及び断面図である。
【図３】図１に示したエアシャワー装置を上方から見た断面図である。
【図４】図３に示した吸引口部を拡大した断面図である。
【図５】図４に示した吸引口部が回動した状態を示した断面図である。
【図６】図２に示したエアシャワー装置内の空気の流れを示した説明図である。
【図７】図３に示したエアシャワー装置内の空気の流れを示した説明図である。
【図８】本発明の実施形態の変形例に係る吸引口部の突出方向側の端部を示した断面図である。
【図９】本発明の実施形態の変形例に係る吸引口部の突出方向側の端部を示した断面図である。
【符号の説明】
【０１１７】
１      エアシャワー装置
１０    本体部
１０ａ  内壁面
１０ｂ  内壁面
１０ｃ  床面
１０ｄ  天井面
１０ｅ〜１０ｈ  外壁面
１１    入口用ドア
１２    出口用ドア
２１ａ〜２１ｃ  パンカールーバ
２２ａ  メインフィルタ
２２ｂ  メインフィルタ
３１    第１の送風機
３１ａ  羽根車
３１ｂ  吸込口
３１ｃ  吹出口
３２    第２の送風機
３２ａ  羽根車
３２ｂ  吸込口
３２ｃ  吹出口
４１    床板部
４２    プレフィルタ
６１    吸引口部
６１ａ  基部
６１ｂ  突出端部
６１ｂ１  基体部
６１ｂ２  キャップ部
６１ｃ  平板部
６１ｄ  蝶番
６１ｅ  化粧カバー
６１ｆ  突出端部
６２    プレフィルタ
７１    仕切板
ＨＬ１  貫通穴
ＨＬ２  吸引口
ＳＣ１〜ＳＣ７  ネジ
ＳＰ１〜ＳＰ４  空間
ＳＰＫ  スピーカ
ＳＲ    エアシャワー室
ＳＷ    スリット幅
ＵＡ    ユーザ
【図１】
2009281624.tif 000003
【図２】
2009281624.tif 000004
【図３】
2009281624.tif 000005
【図４】
2009281624.tif 000006
【図５】
2009281624.tif 000007
【図６】
2009281624.tif 000008
【図７】
2009281624.tif 000009
【図８】
2009281624.tif 000010
【図９】
2009281624.tif 000011